(57)【要約】【課題】履きやすく、しかもファッション性にすぐれた履き物を提供することを目的とする。【解決手段】サンダル１０の本体部１１のつま先側とかかと側を横断する第１の貫通孔１３ａと第２の貫通孔１３ｂを形成し、それぞれ第１のひも状体１２ａと第２のひも状体１２ｂを挿通する。本体部１１上に足を載せ、第１のひも状体１２ａを足の甲上で結び、第２のひも状体１２ｂを足首側に巻き付けるなどして結び付ける。色、柄、文様、幅等のデザインが相違する複数品種のファッション性の高いひも状体１２ａ、１２ｂを具備し、好み等に応じて選択使用する。【選択図】図４
2012115379.tif 000002
【特許請求の範囲】
【請求項１】
足を載せる本体部と、この本体部を横断する方向に形成された貫通孔と、この貫通孔に取りはずし自在に挿通されて着用者の足に結び付けられるひも状体とから成ることを特徴とする履き物。
【請求項２】
複数の前記ひも状体を具備し、これらのひも状体のいずれかを選択使用することを特徴とする請求項１記載の履き物。
【請求項３】
足を載せる本体部と、この本体部の長手方向に間隔をおいてこの本体部を横断する方向に形成された第１の貫通孔及び第２の貫通孔と、前記第１の貫通孔に取りはずし自在に挿通されて着用者の足の甲上で結ばれる第１のひも状体と、前記第２の貫通孔に取りはずし自在に挿通されて着用者の足首側で結ばれる第２のひも状体とから成ることを特徴とする履き物。
【請求項４】
複数の前記ひも状体を具備し、これらのひも状体のいずれかを選択使用することを特徴とする請求項３記載の履き物。
【発明の詳細な説明】
【技術分野】
【０００１】
本発明は、履きやすく、しかもファッション性にすぐれた履き物に関するものである。
【背景技術】
【０００２】
サンダル等の履き物は、足を載せる本体部上に、着用者のつま先、かかと側などを被う被い部を適宜設けて成っている。履き物はファッション性が高い実用品であり、履き物全体や被い部等は、様々なデザインのものが提案実施されている。
【発明の概要】
【発明が解決しようとする課題】
【０００３】
サンダル等の殊に女性用の履き物には、単に履きやすさだけでなくファッション性も要求される。
【０００４】
そこで本発明は、履きやすく、しかもファッション性にすぐれた履き物を提供することを目的とする。
【課題を解決するための手段】
【０００５】
本発明の履き物は、足を載せる本体部と、この本体部を横断する方向に形成された貫通孔と、この貫通孔に取りはずし自在に挿通されて着用者の足に結び付けられるひも状体とから成る。
【０００６】
また本発明の履き物は、望ましくは、複数の前記ひも状体を具備し、これらのひも状体のいずれかを選択使用する。
【０００７】
また本発明の履き物は、足を載せる本体部と、この本体部の長手方向に間隔をおいてこの本体部を横断する方向に形成された第１の貫通孔及び第２の貫通孔と、前記第１の貫通孔に取りはずし自在に挿通されて着用者の足の甲上で結ばれる第１のひも状体と、前記第２の貫通孔に取りはずし自在に挿通されて着用者の足首側で結ばれる第２のひも状体とから成る。
【０００８】
また本発明の履き物は、望ましくは、複数の前記ひも状体を具備し、これらのひも状体のいずれかを選択使用する。
【発明の効果】
【０００９】
本発明の履き物は、本体部に足を載せ、貫通孔に挿通されたひも状体を足に結び付けて着用する。勿論、本体部上で予め結んだひも状体につま先から足を入れて着用してもよい。ひも状体として、審美性やファッション性の高いものを用い、また結び方法も蝶々結びをするなどして工夫することにより、ファッション性の高い履き物として着用できる。
【００１０】
また複数のひも状体、より望ましくは色、柄、文様、幅等のデザインが相違する複数種類のひも状体を具備すれば、場所や時刻、あるいは好み等に応じていずれかのひも状体を選択使用することにより、より一層のファッション性を楽しむことができる。またひも状体が汚れれば、クリーニングして再使用することもできる。
【図面の簡単な説明】
【００１１】
【図１】本発明の実施の形態１におけるサンダルの斜視図
【図２】本発明の実施の形態１におけるサンダルの断面図
【図３】本発明の実施の形態１におけるサンダルの平面図
【図４】本発明の実施の形態１におけるサンダルの着用中の斜視図
【図５】本発明の実施の形態２におけるサンダルの斜視図
【図６】本発明の実施の形態２におけるサンダルの断面図
【図７】本発明の実施の形態２におけるサンダルの平面図
【図８】本発明の実施の形態２におけるサンダルの着用中の斜視図
【発明を実施するための形態】
【００１２】
（実施の形態１）
履き物としてサンダルを例にとり、本発明の実施の形態１を図１〜図４を参照して説明する。図１〜図３において、サンダル１０は、着用者が足を載せる本体部１１と、第１のひも状体１２ａと第２のひも状体１２ｂから成っている。本体部１１は、木材や合成樹脂等により形成されている。
【００１３】
本体部１１には、その長手方向に間隔Ｔをおいて、２つの貫通孔１３ａ、１３ｂが形成されている。すなわち、本体部１１のつま先側には、本体部１１を横断する方向に第１の貫通孔１３ａが形成されており、かかと側には、本体部１１を横断する方向に第２の貫通孔１３ｂが形成されている。第１の貫通孔１３ａと第２の貫通孔１３ｂは、テープ状のひも状体１２ａ、１２ｂを挿通しやすいように、扁平なスリット孔である。ひも状体１２ａ、１２ｂは、布、不織布などの結びやすい柔軟な素材から成っており、第１および第２の貫通孔１３ａ、１３ｂに取りはずし自在に挿通される。ひも状体１２ａ、１２ｂとしては、審美性やファッション性が高いものが望ましい。
【００１４】
図４は、このサンダル１０を着用した状態を示している。着用者は本体部１１上に足を載せ、第１の貫通孔１３ａに挿通された第１のひも状体１２ａを足の甲上で結ぶ。また第２の貫通孔１３ｂに挿通された第２のひも状体１２ｂを足首側に巻き付けるなどして結ぶ。なお、本体部１１上に足を載せる前に予め第１のひも状体１２ａを本体部１１上で結んでおき、これにつま先を通して本体部１１上に足を載せ、次いで第２のひも状体１２ｂを足首側に結んでもよく、ひも状体を結ぶタイミングは自由に決定できる。
【００１５】
ひも状体１２ａ、１２ｂを結ぶ方法は自由であって、蝶々結び等が採用できる。また第２のひも状体１２ｂを長めにすれば、足首や脚（すね）部に複数回巻回して結び付けることもでき、ファッション性をより向上できる。また、ひも状体は、色、柄、文様、幅等のデザインが相違する複数種類のものを交換用のひも状体として具備し、場所や時刻、あるいは好み等に応じて自由に取り替えて選択使用することができる。勿論、ひも状体が汚れたならば、クリーニングして再使用してもよい。
【００１６】
（実施の形態２）
次に、本発明の実施の形態２を図５〜図８を参照して説明する。図５〜図７において、サンダル２０は、着用者が足を載せる本体部２１とひも状体２２から成っている。本体部２１には、そのつま先寄りに、本体部２１を横断する方向に貫通孔２３が形成されている。この貫通孔２３も扁平なスリット孔である。
【００１７】
図８に示すように、着用者は本体部２１に足を載せ、貫通孔２３に挿通されたひも状体２２を足の甲上で結んで着用する。勿論、色、柄、文様、幅等のデザインが相違する複数種類の交換用のひも状体を具備し、好み等に応じて選択使用してもよい。勿論このものも、本体部２１上に足を載せる前に予めひも状体２２を結んでおき、これにつま先を通して本体部２１上に足を載せてもよい。また実施の形態１、２において、同一種類のひも状体を複数具備し、汚れた場合には交換使用してもよい。
【００１８】
実施の形態１、２は、履き物としてサンダルを例にとって説明したが、本発明はサンダル以外の履き物にも適用できる。また、ひも状体は、要は履き物が脱げないように足に結び付ければよいものであり、したがって貫通孔は本体部の中央部に形成し、これにひも状体を挿通してもよいものであり、貫通孔の形成箇所、形成個数、開孔形状等は任意に決定できる。
【産業上の利用可能性】
【００１９】
本発明によれば、簡単な構成によりファッション性の高い履き物を実現できる。またひも状体として、色、柄、文様、幅等のデザインが相違する複数種類のものを具備すれば、場所や時刻、あるいは好み等に応じていずれかのひも状体を選択使用することにより、より一層のファッション性を楽しむことができ、殊に女性用の履き物として有用である。
【符号の説明】
【００２０】
１０、２０  サンダル
１１、２１  本体部
１２ａ、１２ｂ、２２  ひも状体
１３ａ、１３ｂ、２３  貫通孔
Ｔ  間隔
【図１】
2012115379.tif 000003
【図２】
2012115379.tif 000004
【図３】
2012115379.tif 000005
【図４】
2012115379.tif 000006
【図５】
2012115379.tif 000007
【図６】
2012115379.tif 000008
【図７】
2012115379.tif 000009
【図８】
2012115379.tif 000010